(57)【要約】【課題】外部充電器の供給能力を精度良く判定することで、より効率的な条件で充電を行う。【解決手段】外部電源が供給される入力端子と、入力端子の電圧を検出する電圧検出部と、一端を入力端子に接続する電流源と、電流源の電流を制御する制御部と、を備え、制御部は、電流源の電流を増減させることで得た電圧検出部の検出結果から外部電源の供給能力を判定し、判定した供給能力を下回る電源供給によって二次電池の充電を行うように制御する。【選択図】図１
2013123333.tif 000002
【特許請求の範囲】
【請求項１】
外部電源が供給される入力端子と、
前記入力端子の電圧を検出する電圧検出部と、
一端を前記入力端子に接続する電流源と、
前記電流源の電流を制御する制御部と、
を備え、
前記制御部は、前記電流源の電流を増減させることで得た前記電圧検出部の検出結果から前記外部電源の供給能力を判定し、判定した供給能力を下回る電源供給によって二次電池の充電を行うように制御することを特徴とする充電制御回路。
【請求項２】
前記制御部は、（ａ）前記入力端子の電圧が所定の電圧を超えたことを前記電圧検出部が検出した場合に、（ｂ）前記電流源の電流を０からステップ状に徐々に増加させ、（ｃ）前記入力端子の電圧が所定の電圧を下回ったことを前記電圧検出部が検出した場合に、（ｄ）一つ前のステップにおける前記電流源の電流値と同じ値の充電電流によって前記二次電池の充電を行うように制御することを特徴とする請求項１記載の充電制御回路。
【請求項３】
一定周期毎を計時するタイマをさらに備え、
前記制御部は、（ｂ）、（ｃ）、（ｄ）の各工程を前記一定周期内に実行することを前記二次電池が満充電になるまで繰り返すように制御することを特徴とする請求項２記載の充電制御回路。
【請求項４】
前記二次電池を定電流定電圧充電によって充電することを特徴とする請求項１乃至３のいずれか一に記載の充電制御回路。
【請求項５】
前記入力端子の電圧を前記二次電池の充電電圧に変換する直流変換器を備え、
前記直流変換器の出力によって前記二次電池を充電することを特徴とする請求項１乃至４のいずれか一に記載の充電制御回路。
【請求項６】
請求項１乃至５のいずれか一に記載の充電制御回路を備え、前記二次電池を装着可能とする携帯電子機器。
【請求項７】
外部電源が供給される入力端子の電圧を検出するステップと、
一端を前記入力端子に接続する電流源の電流を増減させることで得た前記入力端子の電圧の検出結果から前記外部電源の供給能力を判定するステップと、
判定した供給能力を下回る電源供給によって前記二次電池の充電を行うステップと、
を含むことを特徴とする充電制御方法。
【請求項８】
（ａ）外部電源が供給される入力端子の電圧を検出するステップと、
（ｂ）前記入力端子の電圧が所定の電圧を超えたことを検出した場合に、一端を前記入力端子に接続する電流源の電流を０からステップ状に徐々に増加させるステップと、
（ｃ）前記入力端子の電圧が所定の電圧を下回ったことを検出した場合に、一つ前のステップにおける前記電流源の電流値と同じ値の充電電流によって二次電池の充電を行うように制御するステップと、
を含むことを特徴とする充電制御方法。
【請求項９】
（ａ）、（ｂ）、（ｃ）の各前記工程を一定周期内に実行することを前記二次電池が満充電になるまで繰り返すように制御することを特徴とする請求項８記載の充電制御方法。
【発明の詳細な説明】
【技術分野】
【０００１】
本発明は、充電制御回路および充電制御方法に係り、特に、携帯電子機器等に内蔵され、二次電池を充電するための充電制御回路および充電制御方法に係る。
【背景技術】
【０００２】
従来の充電制御回路は、二次電池の充電に使用する充電器の電圧、電流が予め決まっていることが前提となっている。しかしながら、携帯電話機では、インタフェースコネクタの形状の統一化により、過剰出力による充電器の発熱、発火、充電不良等の問題が発生する可能性が著しく高い。
【０００３】
そこで、端末装置内の二次電池をコネクタを介して接続された外部の充電器により充電する充電制御回路において、前記充電器から出力される充電電圧を検出すると共に、前記二次電池へ供給する充電電流を可変制御する充電回路と、前記充電電流を検出する電流検出回路と、前記二次電池の電池電圧を検出する電池電圧算出部と、前記充電回路で検出された前記充電器からの充電電圧が前記端末装置の充電規格の範囲内であるか否か判定し、該充電電圧が該充電規格の範囲内でないときは充電動作を停止し、該充電規格の範囲内であるときには前記電流検出回路で検出される前記充電電流が、前記端末装置の充電規格の充電電流上限値以下である範囲内で、前記電池電圧算出部で算出される前記二次電池の電池電圧を検出しながら、前記充電回路により前記充電電流を可変制御する充電制御部とを有する充電制御回路が特許文献１において開示されている。
【０００４】
このような充電制御回路によれば、充電器から端末装置に印加される充電電圧値を算出する機能を設け、充電器が端末装置に接続された際に充電器の印加電圧が許容された電圧範囲にあるかどうかの判定を行い、充電器の電圧値が許容範囲外であった場合は不適切な充電器が接続されたものと判定して充電制御動作を停止するようにしたため、不適切な充電器の接読による不具合動作を防止することができる。
【０００５】
また、情報処理装置に電力を供給する、前記情報処理装置と切り離し自在に接続可能な電源装置において、二次電池と、前記二次電池の充電用の電力を入力するための入力端子と、前記入力端子から入力される電力の電圧値を測定する電圧測定手段と、前記二次電池の充電電流値を段階的に切り換え可能なスイッチと、前記二次電池の充電を制御する制御手段と、を具備し、前記制御手段は、前記電圧測定手段の測定結果に基づき、前記入力端子からの前記充電用の電力の入力開始を検出した場合、前記二次電池の充電電流値が零から徐々に大きくなるように前記スイッチを制御していき、前記電圧測定手段によって測定される電圧値が所定の範囲を越えて低下した時点で、前記スイッチによる充電電流値の増加を停止する電源装置が特許文献２において開示されている。
【０００６】
このような電源装置によれば、充電用電源の電力供給能力を自動的に識別して二次電池の最大充電電流を決定し、保護機能の設定値を適切に変更する等の機能を実現できる。
【先行技術文献】
【特許文献】
【０００７】
【特許文献１】特開２００６−１０９６１８号公報
【特許文献２】特開２０１０−２５９２９３号公報
【発明の概要】
【発明が解決しようとする課題】
【０００８】
以下の分析は本発明において与えられる。
【０００９】
近年、スマートフォンやタブレット端末など、従来の携帯電子機器より大容量の二次電池を搭載する製品も増加してきている。また、携帯電子機器の外部充電器側もＵＳＢ（Universal Serial Bus）へ統一化される傾向にあり、パーソナルコンピュータ（ＰＣ）に代表される既存のＵＳＢ規格のものの他、Ｗａｌｌ  Ｃｈａｒｇｅｒと呼ばれる交流電源コンセントに直接接続して大電流を流せるものや、太陽光発電を利用した充電器等も市場に存在する。
【００１０】
例えば、図５は、種々の外部充電器とその電源供給能力とを例示した図である。また、図６は、図５に示した外部充電器の出力電圧Ｖｃｈｇと負過電流Ｉｌｏａｄとの関係を示す図である。図６における（ｋ）（ｋ＝１〜７）は、図５の（ｋ）の外部充電器の特性を示している。なお、図６における（１）、（２）、（５）の特性は、「垂下特性」、（３）、（４）、（６）の特性は、「フの字特性」、（７）の特性は、「過電流保護なし特性」の代表的な例を示すものである。
【００１１】
このような多様な特性を有する多種の充電器では、充電器における供給能力が幅広く分散して存在する。携帯電子機器側では、これら全ての外部充電器に対応することが求められる。
【００１２】
ところで、特許文献１のような技術によれば、充電器の電圧値が許容範囲外であった場合は不適切な充電器が接続されたものと判定して充電制御動作を停止している。また、特許文献２のような技術によれば、充電用電源の電力供給能力を自動的に識別して二次電池の最大充電電流を決定し、保護機能の設定値を適切に変更している。このように、従来の技術は、保護機能の実現のために、充電器の特性を判定している。したがって、外部充電器の供給能力を精度良く判定することで、より効率的な条件で充電を行うことに関し、充分に機能するとはいえなかった。
【００１３】
そこで、本発明の目的は、携帯電子機器等に内蔵される充電回路において、外部充電器の供給能力を精度良く判定することで、より効率的な条件で充電を行うことが可能な充電制御回路および充電制御方法を提供することにある。
【課題を解決するための手段】
【００１４】
本発明の１つのアスペクト（側面）に係る充電制御回路は、外部電源が供給される入力端子と、入力端子の電圧を検出する電圧検出部と、一端を入力端子に接続する電流源と、電流源の電流を制御する制御部と、を備え、制御部は、電流源の電流を増減させることで得た電圧検出部の検出結果から外部電源の供給能力を判定し、判定した供給能力を下回る電源供給によって二次電池の充電を行うように制御する。
【００１５】
本発明の他のアスペクト（側面）に係る充電制御方法は、外部電源が供給される入力端子の電圧を検出するステップと、一端を入力端子に接続する電流源の電流を増減させることで得た入力端子の電圧の検出結果から外部電源の供給能力を判定するステップと、判定した供給能力を下回る電源供給によって二次電池の充電を行うステップと、を含む。
【００１６】
本発明のさらに他のアスペクト（側面）に係る充電制御方法は、（ａ）外部電源が供給される入力端子の電圧を検出するステップと、（ｂ）入力端子の電圧が所定の電圧を超えたことを検出した場合に、一端を入力端子に接続する電流源の電流を０からステップ状に徐々に増加させるステップと、（ｃ）入力端子の電圧が所定の電圧を下回ったことを検出した場合に、一つ前のステップにおける電流源の電流値と同じ値の充電電流によって二次電池の充電を行うように制御するステップと、を含む。
【発明の効果】
【００１７】
本発明によれば、外部充電器の供給能力を精度良く判定し、より効率的な条件で充電を行うことができる。
【図面の簡単な説明】
【００１８】
【図１】本発明の一実施例に係る充電制御回路の構成を示すブロック図である。
【図２】本発明の一実施例に係る充電制御回路の動作を示すフローチャートである。
【図３】外部充電器側から見た負荷と出力電圧との関係を模式的に示す図である。
【図４】携帯電子機器内部の充電回路に外部充電器が接続された際の動作を示すタイミングチャートである。
【図５】種々の外部充電器とその電源供給能力とを例示した図である。
【図６】外部充電器の出力電圧Ｖｃｈｇと負過電流Ｉｌｏａｄとの関係を示す図である。
【発明を実施するための形態】
【００１９】
以下、本発明を実施するための形態について、概説する。なお、以下の概説に付記した図面参照符号は、専ら理解を助けるための例示であり、図示の態様に限定することを意図するものではない。
【００２０】
本発明の一実施形態に係る充電制御回路は、外部電源が供給される入力端子（図１の２００に対応）と、入力端子の電圧を検出する電圧検出部（図１の１０６に対応）と、一端を入力端子に接続する電流源（図１の１０４に対応）と、電流源の電流を制御する制御部（図１の１０９に対応）と、を備え、制御部（図１の１０３、１０９に対応）は、電流源の電流を増減させることで得た電圧検出部の検出結果から外部電源の供給能力を判定し、判定した供給能力を下回る電源供給によって二次電池（図１の２０３に対応）の充電を行うように制御する。
【００２１】
充電制御回路において、制御部は、（ａ）入力端子の電圧が所定の電圧を超えたことを電圧検出部が検出した場合に、（ｂ）電流源の電流を０からステップ状に徐々に増加させ、（ｃ）入力端子の電圧が所定の電圧を下回ったことを電圧検出部が検出した場合に、（ｄ）一つ前のステップにおける電流源の電流値と同じ値の充電電流によって二次電池の充電を行うように制御することが好ましい。
【００２２】
充電制御回路において、一定周期毎を計時するタイマ（図１の１０８に対応）をさらに備え、制御部は、（ｂ）、（ｃ）、（ｄ）の各工程を一定周期内に実行することを二次電池が満充電になるまで繰り返すように制御することが好ましい。
【００２３】
充電制御回路において、二次電池を定電流定電圧充電によって充電するようにしてもよい。
【００２４】
充電制御回路において、入力端子の電圧を二次電池の充電電圧に変換する直流変換器を備え、直流変換器の出力によって二次電池を充電するようにしてもよい。
【００２５】
携帯電子機器は、上記の充電制御回路を備え、二次電池を装着可能とするようにしてもよい。
【００２６】
以下、実施例に即し、図面を参照して詳しく説明する。
【実施例１】
【００２７】
図１は、本発明の一実施例に係る充電制御回路の構成を示すブロック図である。図１において、充電制御回路は、充電ＩＣ１００、コネクタ２００、ＬＣフィルタ２０１、抵抗２０２を備える。
【００２８】
充電ＩＣ１００は、降圧用のＤＣ／ＤＣコンバータを内蔵したデバイスであって、外部充電器からコネクタ２００に対して与えられる電源電流を断続し、ＬＣフィルタ２０１を介して携帯電子機器内部に電源電流として供給すると共に、充電電流として二次電池２０３へ供給する。充電ＩＣ１００は、ドライバ用のＭＯＳＦＥＴ１０１、１０２、デューティ制御部１０３、負荷電流源１０４、ＭＯＳＦＥＴ１０５、電圧検出部１０６、電流検出部１０７、タイマ１０８、負荷制御部１０９、電流検出部１１０、電圧検出部１１１を備える。なお、デューティ制御部１０３と負荷制御部１０９とで本発明の制御部が構成され、図示を省略するが、タイミングや制御等に係る信号線が存在するものとする。
【００２９】
ＭＯＳＦＥＴ１０１、１０２は、コネクタ２００と接地との間に直列接続され、降圧用のＤＣ／ＤＣコンバータのドライバを構成し、デューティ制御部１０３によって互いに相反するように開閉の時間が制御される。
【００３０】
デューティ制御部１０３は、電圧検出部１０６、電流検出部１０７、電流検出部１１０、電圧検出部１１１のそれぞれの出力を常時に監視し、これらの出力に基づいてＭＯＳＦＥＴ１０１、１０２の開閉を制御する。デューティ制御部１０３は、ＤＣ／ＤＣコンバータの出力電圧にフィードバックを掛けて充電制御を行う機能を有する。
【００３１】
負荷電流源１０４は、一端をコネクタ２００に接続し、外部充電器から強制的に負荷電流を引き込む擬似負荷回路として機能する。
【００３２】
ＭＯＳＦＥＴ１０５は、抵抗２０２の両端に接続される。ＭＯＳＦＥＴ１０５は、二次電池２０３の充電中は開放状態とされ、コネクタ２００の電圧が０（Ｖｃｈｇ＝０）となったことを電圧検出部１０６が検出した場合（Ｓｇ＝０）には、二次電池２０３とシステム電源Ｖｓｙｓとを短絡状態とする。
【００３３】
電圧検出部１０６は、外部充電器側から供給される電圧、すなわちコネクタ２００の電圧Ｖｃｈｇを検出し、検出結果をデューティ制御部１０３に出力すると共に、Ｖｃｈｇ＝０を検出した場合にＭＯＳＦＥＴ１０５を短絡状態とする。
【００３４】
電流検出部１０７は、降圧用のＤＣ／ＤＣのハイサイド側のＭＯＳＦＥＴ１０１の電位差を測定することでＩｃｈｇを検出する。すなわち、コネクタ２００の電圧とＭＯＳＦＥＴ１０１、１０２の出力端の電圧とに基づいて、外部充電器側から供給される電流、すなわちコネクタ２００を流れる電流Ｉｃｈｇを検出し、検出結果をデューティ制御部１０３に出力する。
【００３５】
負荷制御部１０９は、電流Ｉｃｈｇの値に基づいて負荷電流源１０４の電流値を制御すると共に、動作トリガとなる一定周期を計時するタイマ１０８を備える。
【００３６】
電流検出部１１０は、抵抗２０２の両端の電位差に基づいて抵抗２０２に流れる電流Ｉｂａｔを検出し、検出結果をデューティ制御部１０３に出力する。
【００３７】
電圧検出部１１１は、二次電池２０３の一端の電圧Ｖｂａｔを検出して検出結果をデューティ制御部１０３に出力する。
【００３８】
充電ＩＣ１００の外部には外部充電器が接続されるコネクタ２００と、ＤＣ／ＤＣ変換の出力電圧を平滑化するためのＬＣフィルタ２０１とが備えられる。図示されない携帯電子機器内部に必要な表示や音源の電源は、ＬＣフィルタ２０１より後段のシステム電源Ｖｓｙｓのノードに接続される。
【００３９】
二次電池２０３は、一端を、ＭＯＳＦＥＴ１０５の一端、および充電電流Ｉｂａｔをセンスするための抵抗２０２を経由してＭＯＳＦＥＴ１０５の他端に接続し、他端を接地する。
【００４０】
ここで、外部充電器側から供給される電圧、電流は、それぞれＶｃｈｇ、Ｉｃｈｇである。また、携帯電子機器内部で使用されるシステム電源の電圧、電流は、それぞれＶｓｙｓ、Ｉｓｙｓである。さらに、二次電池２０３の電圧、電流は、それぞれＶｂａｔ、Ｉｂａｔである。
【００４１】
外部充電器が接続されずに二次電池２０３が動作する場合、ＭＯＳＦＥＴ１０５は閉じており、ＶｂａｔとＶｓｙｓは等しい。したがって、携帯電子機器は、二次電池２０３から短絡状態であるＭＯＳＦＥＴ１０５を介して給電される。
【００４２】
一方、充電時には、ＭＯＳＦＥＴ１０５は開放状態とされ、抵抗２０２の電位差に基づき二次電池２０３への充電電流Ｉｂａｔが電流検出部１１０によって監視可能とされる。また、外部充電器の接続の有無は、電圧検出部１０６によって判定される。
【００４３】
以上のような構成において、降圧用のＤＣ／ＤＣコンバータの効率を無視すると、Ｉｃｈｇ＝Ｉｓｙｓ＋Ｉｂａｔの関係が成立する。
【００４４】
ここで、Ｉｂａｔは、二次電池２０３の容量に依存する値に設定する必要がある。一般的には、１Ｃ（Ｃ＝充電電流／定格容量）以下の設定値にする事が多い。Ｉｓｙｓに関しては、携帯電子機器における高機能化、マルチタスク化に伴って増加していく傾向にある。Ｉｓｙｓ＞Ｉｃｈｇの関係になると、Ｉｂａｔは、負の値になり放電することになる。なお、高機能化やマルチタスク動作に伴う「ながら充電」を行う場合を考慮すると、Ｉｃｈｇを大きく取ることがユーザの利便性の向上に繋がる。
【００４５】
次に、以上のような構成の充電制御回路の動作について説明する。図２は、本発明の一実施例に係る充電制御回路の動作を示すフローチャートである。
【００４６】
ステップＳ１０において、電圧検出部１０６がＶｃｈｇ＞Ｖｔｈを検出する。なお、Ｖｙｈは、所定の閾値電圧である。
【００４７】
ステップＳ１１において、負荷制御部１０９は、負荷電流源１０４の電流値の制御ステップを１増加させる。負荷電流源１０４の電流Ｉｃｈｇは、ステップ状に増加する。
【００４８】
ステップＳ１２において、電圧検出部１０６がＶｃｈｇとＶｔｈを比較し、Ｖｃｈｇ≧ＶｔｈならばステップＳ１１に戻り、Ｖｃｈｇ＜ＶｔｈならばステップＳ１３に進む。
【００４９】
ステップＳ１３において、負荷制御部１０９は、負荷電流源１０４の制御ステップを１戻す。負荷電流源１０４の電流Ｉｃｈｇは、ステップ状に減少する。
【００５０】
ステップＳ１４において、負荷制御部１０９は、負荷電流源１０４を停止状態とする。
【００５１】
ステップＳ１５において、負荷制御部１０９は、タイマ１０８を初期化してスタートさせる。
【００５２】
ステップＳ１６において、デューティ制御部１０３は、ＭＯＳＦＥＴ１０１、１０２の開閉を制御し、Ｉｃｈｇを断続させてＬＣフィルタ２０１を介して携帯電子機器内部に電源電流として電流Ｉｓｙｓを供給すると共に、充電電流として二次電池２０３へ電流Ｉｂａｔを供給する。
【００５３】
ステップＳ１７において、デューティ制御部１０３は、電流検出部１１０、電圧検出部１１１によって二次電池２０３の充電状態を監視し、充電が完了していない場合には、ステップＳ１８に進み、充電が完了している場合には、ステップＳ２０に進んで一連の動作を終了する。
【００５４】
ステップＳ１８において、タイマ１０８が所定の時間Ｔ１を経過したか否かを判断し、所定の時間Ｔ１を経過した場合にはステップＳ１９に進み、所定の時間Ｔ１を経過していない場合にはステップＳ１４に戻る。
【００５５】
ステップＳ１９において、負荷電流源１０４の制御ステップを初期化し、ステップＳ１１に戻る。
【００５６】
以上のように動作する充電制御回路におけるＶｃｈｇ、Ｉｃｈｇの波形を図３、図４に示す。図３は、外部充電器側から見た負荷と出力電圧との関係を模式的に示す図である。図４は、本実施例の携帯電子機器内部の充電回路に外部充電器が接続された際の動作を示すタイミングチャートである。図３中の数字「１〜８」は、図４中の同じ数字にそれぞれ対応する。
【００５７】
図１の電圧検出部１０６において外部充電器の接続を検出すると、充電ＩＣ１００は、外部充電器の供給能力を確認する。具体的には、負荷電流源１０４によって外部充電器に擬似的な負荷を与える。すなわち、負荷電流源１０４の電流値をステップ状に増加していき、各段階にけるＶｃｈｇを確認する。
【００５８】
図３、図４の例では、ステップ状に増加していく「１」〜「６」までの擬似負荷電流では、外部充電器の出力電圧Ｖｃｈｇは変動しない。つまり外部充電器の供給可能な範囲にあることが示される。
【００５９】
そして、擬似負荷電流を次のステップ「７」に増加したときに、外部充電器の出力電圧Ｖｃｈｇが低下する。すなわち、充電ＩＣ１００の電圧検出部１０６は、Ｖｃｈｇが動作範囲（Ｖｔｈ）を下回ったことを検出する。この場合、「７」で示される現在の負荷電流値は、供給可能範囲外の電流値であると判定し、充電ＩＣ１００は、１ステップ前の負荷電流値「６」までが外部充電器の供給能力の範囲内にあると判定する。
【００６０】
外部充電器の供給能力の判定後、充電ＩＣ１００は、負荷電流源１０４をオフ状態として、二次電池２０３に対する充電動作を開始する。このとき、電流検出部１０７において、入力電流Ｉｃｈｇが図３、図４の（６）で設定した値と同じになるような定電流制御ループを有効にした上で、定電流定電圧（ＣＣＣＶ）充電を開始する。
【００６１】
以上のように充電ＩＣ１００は、ステップ状に可変される負荷電流源１０４によって外部充電器のピークポイントを精度良く判定することが可能である、すなわち、負荷電流源１０４の電流値の設定精度と同等の精度で、外部充電器のピークポイントを設定でき、外部充電器から最も効率的な電力を得ることが可能になる。
【００６２】
また、外部充電器の接続を検出し、最初に外部充電器の供給能力を確認したタイミングから、充電ＩＣ１００の内部のタイマ１０８をイネーブルにすることで、タイマ１０８がカウント満了後、再度充電器の供給能力の検出を行う。タイマ１０８を用いて定期的（期間Ｔ１）に充電器の供給能力の検出を行うことで、常に充電器のピークポイントを更新していくことが可能になる。
【００６３】
以上のような充電制御回路によれば、ステップ状に可変される負荷電流源１０４によって外部充電器の能力を判定し、ピークポイントで電流制限をかける構成とされる。したがって、どの様な電源供給能力の外部充電器が接続された場合であっても、精度良く高効率な電力を引き出すポイントを設定して、高効率な充電が可能になる。また、供給能力の低い充電器であっても最大効率で充電電力を得ることが可能である。
【００６４】
さらに、一定期間Ｔ１毎に外部充電器の能力判定を行うことで、太陽光充電器などに代表される、供給能力が時間的に変動するような外部充電器であっても、常に精度良く高効率なピークポイントで充電を継続することが可能である。
【００６５】
なお、以上の説明では、充電ＩＣ１００は、ＤＣ／ＤＣコンバータである直流変換器を内蔵する構成を示した。しかしながら、これに限定されること無く、リニアレギュレータに置き換えたリニア充電回路においても同様の効果が得られる。
【００６６】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００６７】
１００  充電ＩＣ
１０１、１０２、１０５  ＭＯＳＦＥＴ
１０３  デューティ制御部
１０４  負荷電流源
１０６、１１１  電圧検出部
１０７、１１０  電流検出部
１０８  タイマ
１０９  負荷制御部
２００  コネクタ
２０１  ＬＣフィルタ
２０２  抵抗
２０３  二次電池
【図１】
2013123333.tif 000003
【図２】
2013123333.tif 000004
【図３】
2013123333.tif 000005
【図４】
2013123333.tif 000006
【図５】
2013123333.tif 000007
【図６】
2013123333.tif 000008